(57)【特許請求の範囲】
【請求項１】
交換可能なレンズと、レンズとカメラ間に複数の電気接点を持ち、該接点を通して各種情報の通信及びカメラからレンズに電源供給を行うカメラ本体とからなるカメラシステムにおいて、交換レンズ側に交換レンズの全機能を正常に動作させることを保証するチェツク電圧に関する値を記憶する第１記憶手段と、レンズを制御するレンズ制御手段とを備え、カメラ本体側にカメラの全機能を正常に動作させることを保証するチェツク電圧に関する値を記憶する第２記憶手段と、電源電圧を検出する電圧検出手段と、カメラを制御するカメラ制御手段とを備え、前記レンズ制御手段は、前記第１記憶手段のチェック電圧に関する値をカメラ本体へ送信し、前記カメラ制御手段は、前記電圧検出手段で検出した電圧値と、交換レンズから受信した前記第１記憶手段の電圧に関する値及びカメラ本体の前記第２記憶手段の電圧に関する値とをそれぞれ比較し、この比較結果に基づく状況を表示する表示手段を備えたことを特徴とするレンズ交換式カメラシステム。
【請求項２】
レンズ交換が可能で、レンズとカメラ間に複数の電気接点を持ち、該接点を通して各種情報の通信及びカメラからレンズに電源供給を行うカメラ本体であり、カメラの全機能を正常に動作させることを保証するチェツク電圧に関する値を記憶する第２記憶手段と、電源電圧を検出する電圧検出手段と、カメラを制御するカメラ制御手段とを備え、前記カメラ制御手段は、前記電圧検出手段で検出した電圧値と、交換レンズから受信した第１記憶手段の電圧に関する値及びカメラ本体の前記第２記憶手段の電圧に関する値とをそれぞれ比較し、この比較結果に基づく状況を表示する表示手段を備えたすカメラ本体に装着される交換レンズであって、前記交換レンズの全機能を正常に動作させることを保証するチェツク電圧に関する値を記憶する第１記憶手段と、前記カメラ本体と通信するために設けられた端子と、前記カメラ本体から電源供給を受ける端子とから構成される電気接点と、前記第１記憶手段のチェック電圧に関する値をカメラ本体へ送信する制御手段を備えたことを特徴とする交換レンズ。
【請求項３】
交換可能なレンズと、レンズとカメラ間に複数の電気接点を持ち、該接点を通して各種情報の通信及びカメラからレンズに電源供給を行うカメラ本体とからなるカメラシステムにおいて、交換レンズ側に交換レンズの全機能を正常に動作させることを保証するチェツク電圧に関する値を記憶する第１記憶手段と、レンズを制御するレンズ制御手段とを備え、カメラ本体側にカメラの全機能を正常に動作させることを保証するチェツク電圧に関する値を記憶する第２記憶手段と、電源電圧を検出する電圧検出手段と、カメラを制御するカメラ制御手段とを備え、前記レンズ制御手段は、カメラ本体から前記電圧検出手段の検出電圧値を受信し、前記第１記憶手段のチェック電圧に関する値と前記検出電圧値とを比較し、比較結果をカメラ本体へ送信し、前記カメラ制御手段は、前記電圧検出手段で検出した検出電圧値を交換レンズへ送信し、交換レンズから比較結果を受信し、前記第２記憶手段の電圧に関する値と前記電圧検出手段の検出電圧値とを比較し、この比較結果と交換レンズから受信した比較結果に基づく状況を表示する表示手段を備えたことを特徴とするレンズ交換式カメラシステム。
【請求項４】
レンズ交換が可能で、レンズとカメラ間に複数の電気接点を持ち、該接点を通して各種情報の通信及びカメラからレンズに電源供給を行うカメラ本体であり、カメラの全機能を正常に動作させることを保証するチェツク電圧に関する値を記憶する第２記憶手段と、電源電圧を検出する電圧検出手段と、カメラを制御するカメラ制御手段とを備え、前記カメラ制御手段は、前記電圧検出手段で検出した検出電圧値を交換レンズへ送信し、交換レンズから比較結果を受信し、前記第２記憶手段の電圧に関する値と前記電圧検出手段の検出電圧値とを比較し、この比較結果と交換レンズから受信した比較結果に基づく状況を表示する表示手段を備えたカメラ本体に装着される交換レンズであって、前記交換レンズの全機能を正常に動作させることを保証するチェツク電圧に関する値を記憶する第１記憶手段と、前記カメラ本体と通信するために設けられた端子と、前記カメラ本体から電源供給を受ける端子とから構成される電気接点と、カメラ本体から前記電圧検出手段の検出電圧値を受信し、前記第１記憶手段のチェック電圧に関する値と前記検出電圧値とを比較し、比較結果をカメラ本体へ送信する制御手段を備えたことを特徴とする交換レンズ。
【発明の詳細な説明】
【０００１】
【発明の属する技術分野】
本発明は、カメラ及び交換レンズの誤動作の発生と、電池の無駄な交換を防ぐことができるレンズ交換式カメラシステムに関するものである。
【０００２】
【従来の技術】
一般に、電動駆動機構や制御用のマイコンを備えるカメラにおいては、乾電池やリチウム電池パック等を電源とし、かかる電源の容量が充分であるかを検出し、カメラの操作者に電源の状況を示すバッテリーチェック装置が備えられている。従来、この種の装置においては、電源の容量が十分であるかを検出するためには電池の内部抵抗を考慮に入れるため、電池に負荷を接続して電源電圧を検出することが必要であった。この負荷の方法として、例えば、特開昭６１−２４９０３３号に開示された技術がある。特開昭６１−２４９０３３号には、カメラのフイルムの巻き上げあるいはシャッタ、絞りのチャージのために用いられるモータを電源電圧の検出のための負荷として通電することによって、電源電圧の検出を行うことが提案されている。
【０００３】
また、バッテリーチェック装置には、カメラ本体に設けられた全ての電動駆動機構や制御用のマイコンが正常に機能できることを保証する電源チェック電圧値が記憶され、この電源チェック電圧値と検出した電源電圧値とが比較され、カメラ操作者に電源の容量に関する状況を示していた。
【０００４】
【発明が解決しようとする課題】
レンズ交換式カメラにおいては、自動焦点調節（ＡＦ）、パワーズーム、手ブレ防止などの機能が開発され、交換レンズ側に電動駆動用のモータや電磁マグネットが設けられるようになったことから、交換レンズ側の電力消費を無視した場合、電池容量が低下してくると誤動作を招くことになった。このため、バッテリーチェック装置には、カメラ本体側に設けられた電動駆動装置や制御用のマイコンと、さらに交換レンズ側の電動駆動装置を含めて機能保証できる電源チェック電圧値を記憶するようになった。この電源チェック電圧値の決定に際しては、カメラ本体に装着が予想される最大消費電力（負荷が最大）の交換レンズを考慮することで、カメラの誤動作を防止できることになる。
【０００５】
しかしながら、このバッテリーチェック装置では、将来にわたり交換レンズに装備が予想される各種電動駆動装置を考慮する必要があることから、安全性を考え電源チェック電圧値が高めの設定となり、カメラ操作者に電池の容量に関する状況を適切に示すことができなくなり、電池の交換時期を早めるという問題があった。
【０００６】
本発明は、上述のような点に鑑みてなされたものであり、その目的とするところは、カメラの操作者に電池の容量に関する状況を適切に示すことで、カメラ及び交換レンズの誤動作の発生を防ぎ、また、電池の無駄を無くして、有効に利用することがができるレンズ交換式カメラシステム及び交換レンズを提供することにある。
【０００７】
【課題を解決するための手段】
上述の目的を達成するために、本願第１発明のレンズ交換式カメラシステムは、図１に示すように、交換可能な交換レンズ３００と、レンズとカメラ間に複数の電気接点３０５を持ち、該電気接点３０５を通して各種情報の通信及びカメラからレンズに電源供給を行うカメラ本体２００とからなるカメラシステムにおいて、交換レンズ側に交換レンズ３００の全機能を正常に動作させることを保証するチェツク電圧に関する値ＶＬを記憶する第１記憶手段３１７と、レンズを制御するレンズ制御手段３１９とを備え、カメラ本体側にカメラ本体２００の全機能を正常に動作させることを保証するチェツク電圧に関する値ＶＢを記憶する第２記憶手段２２５と、電源電圧を検出する電圧検出手段２２６と、カメラを制御するカメラ制御手段２３９とを備え、前記レンズ制御手段３１９は、前記第１記憶手段３１７のチェック電圧に関する値をカメラ本体２００へ送信し、前記カメラ制御手段２３９は、前記電圧検出手段２２６で検出した電圧値と、交換レンズ３００から受信した前記第１記憶手段３１７の電圧に関する値ＶＬ及びカメラ本体の前記第２記憶手段２２５の電圧に関する値ＶＢとをそれぞれ比較し、この比較結果に基づいてカメラの操作者に電池の容量に関する状況を適切に示すことを特徴とするものである。
【０００８】
また、本願第２発明の交換レンズは、図１の交換レンズ３００に示すように、交換レンズの全機能を正常に動作させることを保証するチェツク電圧に関する値を記憶する第１記憶手段３１７と、カメラ本体２００と通信するために設けられた端子ＳＣＫ、ＳＩ、ＳＯと、カメラ本体２００から電源供給を受ける端子ＭＰ、ＰＧＮＤとから構成される電気接点３０５と、前記第１記憶手段３１７のチェック電圧に関する値をカメラ本体２００へ送信するレンズ制御手段３１９を備えたことを特徴とするものである。
【０００９】
更に、本願第３発明のレンズ交換式カメラシステムは、図１に示すように、交換可能な交換レンズ３００と、レンズとカメラ間に複数の電気接点３０５を持ち、該電気接点３０５を通して各種情報の通信及びカメラからレンズに電源供給を行うカメラ本体２００とからなるカメラシステムにおいて、交換レンズ側に交換レンズ３００の全機能を正常に動作させることを保証するチェツク電圧に関する値ＶＬを記憶する第１記憶手段３１７と、レンズを制御するレンズ制御手段３１９とを備え、カメラ本体側にカメラ本体２００の全機能を正常に動作させることを保証するチェツク電圧に関する値ＶＢを記憶する第２記憶手段２２５と、電源電圧を検出する電圧検出手段２２６と、カメラを制御するカメラ制御手段２３９とを備え、前記レンズ制御手段３１９は、カメラ本体２００から前記電圧検出手段２２６の検出電圧値を受信し、前記第１記憶手段３１７のチェック電圧に関する値ＶＬと前記検出電圧値とを比較し、比較結果をカメラ本体２００へ送信し、前記カメラ制御手段２３９は、前記電圧検出手段２２６で検出した検出電圧値を交換レンズ３００へ送信し、交換レンズ３００から比較結果を受信し、前記第２記憶手段２２５の電圧に関する値ＶＢと前記電圧検出手段の検出電圧値とを比較し、この比較結果と交換レンズ３００から受信した比較結果に基づいてカメラの操作者に電池の容量に関する状況を適切に示すことを特徴とするものである。
【００１０】
また、本願第４発明の交換レンズは、図１の交換レンズ３００に示すように、交換レンズの全機能を正常に動作させることを保証するチェツク電圧に関する値を記憶する第１記憶手段３１７と、カメラ本体２００と通信するために設けられた端子ＳＣＫ、ＳＩ、ＳＯと、カメラ本体２００から電源供給を受ける端子ＭＰ、ＰＧＮＤとから構成される電気接点３０５と、カメラ本体２００から前記電圧検出手段２２６の検出電圧値を受信し、前記第１記憶手段３１７のチェック電圧に関する値ＶＬと前記検出電圧値とを比較し、比較結果をカメラ本体２００へ送信するレンズ制御手段３１９を備えたことを特徴とするものである。
【００１１】
【発明の実施の形態】
以下、図１により本発明の実施の形態について説明する。本願第１発明のレンズ交換式カメラシステムでは、交換レンズ側に交換レンズ３００の全機能を正常に動作させることを保証するチェック電圧に関する値ＶＬを第１記憶手段３１７に記憶している。レンズとカメラ間には、複数の電気接点３０５が設けられており、この電気接点３０５を通してカメラからレンズに電源供給が行こなわれる。また、この接点を通して第１記憶手段３１７の情報を含む各種情報の通信がレンズ制御手段３１９によって行われる。カメラ本体側にカメラ本体２００の全機能を正常に動作させることを保証するチェツク電圧に関する値ＶＢを第２記憶手段２２５に記憶している。カメラを制御するカメラ制御手段２３９は、電圧検出手段２２６で検出した電圧値と、交換レンズから通信で取得した前記第１記憶手段３１７の電圧に関する値ＶＬ及びカメラ本体の前記第２記憶手段２２５の電圧に関する値ＶＢとをそれぞれ比較する。そして、この比較結果に基づいてカメラの操作者に電池の容量に関する状況を適切に示すものである。
【００１２】
また、本願第２発明の交換レンズは、本願第１発明の実施の形態で説明したカメラ本体２００に装着される交換レンズであって、交換レンズ３００に示すように、交換レンズの全機能を正常に動作させることを保証するチェツク電圧に関する値を記憶する第１記憶手段３１７に記憶している。カメラ本体２００と通信するために設けられた端子ＳＣＫ、ＳＩ、ＳＯと、カメラ本体２００から電源供給を受ける端子ＭＰ、ＰＧＮＤとから構成される電気接点３０５が設けられている。そして、前記第１記憶手段３１７のチェック電圧に関する値ＶＬをカメラ本体２００へ送信する制御手段３１９を備えたものである。
【００１３】
次に、本願第３発明のレンズ交換式カメラシステムの実施の形態を本願第１発明と比較して説明する。本願第１発明と第３発明は、交換レンズ側に交換レンズ３００の全機能を正常に動作させることを保証するチェツク電圧に関する値ＶＬを第１記憶手段３１７に記憶する点、カメラ本体側にカメラ本体２００の全機能を正常に動作させることを保証するチェツク電圧に関する値ＶＢを第２記憶手段２２５に記憶し、電圧検出手段２２６を備える点は同一である。しかし、本願第１発明が前記第１記憶手段３１７のチェック電圧に関する値ＶＬをカメラ本体２００へ送信し、カメラ本体側で受信したチェック電圧に関する値ＶＬと検出電圧とを比較するのに対し、本願第３発明は、カメラ本体２００の電圧検出手段２２６で検出した検出電圧値を交換レンズ３００へ送信し、交換レンズ側で第１記憶手段３１７に記憶するチェック電圧に関する値ＶＬと受信した検出電圧値とを比較し、比較結果をカメラ本体に送信する点が異なっている。つまり、違いは、レンズ制御手段３１９とカメラ制御手段２３９にあると言える。
【００１４】
ここで、本願第３発明の制御を明確にしておく。レンズ制御手段３１９は、カメラ本体２００から電圧検出手段２２６の検出電圧値を受信し、第１記憶手段３１７のチェック電圧に関する値ＶＬと検出電圧値とを比較し、比較結果をカメラ本体２００へ送信する。カメラ制御手段２３９は、電圧検出手段２２６で検出した検出電圧値を交換レンズ３００へ送信し、交換レンズ３００から比較結果を受信し、第２記憶手段２２５の電圧に関する値ＶＢと電圧検出手段２２６の検出電圧値とを比較し、この比較結果と交換レンズから受信した比較結果に基づいてカメラの操作者に電池の容量に関する状況を適切に示すものである。
【００１５】
また、本願第４発明の交換レンズは、本願第３発明の実施の形態で説明したカメラ本体２００に装着される交換レンズであって、交換レンズ３００に示すように、交換レンズの全機能を正常に動作させることを保証するチェツク電圧に関する値を記憶する第１記憶手段３１７に記憶している。カメラ本体２００と通信するために設けられた端子ＳＣＫ、ＳＩ、ＳＯと、カメラ本体２００から電源供給を受ける端子ＭＰ、ＰＧＮＤとから構成される電気接点３０５が設けられている。そして、カメラ本体２００から電圧検出手段２２６の検出電圧値を受信し、第１記憶手段３１７のチェック電圧に関する値ＶＬと検出電圧値とを比較し、比較結果をカメラ本体へ送信するレンズ制御手段３１９を備えたものである。
【００１６】
このように、本発明では、カメラ本体の全機能を正常に動作させることを保証するチェツク電圧値ＶＢと、交換レンズの全機能を正常に動作させることを保証するチェツク電圧値ＶＬと、電池の検出電圧値をそれぞれ比較しているので、カメラの操作者に電池の容量に関する状況を適切に示すことができ、カメラ及び交換レンズの誤動作の発生と、電池の無駄な交換を防ぐことができる。
【００１７】
【実施例】
以下、本発明の第１実施例について説明する。図２はレンズ交換式カメラシステムを１眼レフレックスカメラに適用したブロック図である。図２において交換レンズ３００は、カメラ本体２００に交換可能に装着されるレンズ鏡筒であり、レンズとカメラ間で各種情報の通信及びカメラからレンズに電源供給を行う複数の電気接点３０５を持っている。３０１〜３０４は各レンズ群であり、１群レンズ３０１は、光軸上を前後に移動することで、フィルム面のピント位置を調整することができる。２群レンズ３０２は、光軸上を前後に移動することで、撮影レンズの焦点距離を変え、撮影倍率を変倍させることができる。３群レンズ３０３は、２群レンズ３０２の移動による焦点移動を補正するように作用する。３群レンズ３０３は２群レンズ３０２の変倍操作により、不図示の機械式カム筒に連動して前後に移動する機構になっている。３０４は４群レンズである。
【００１８】
３０６はフォーカスモータ駆動回路であり、フォーカス駆動モータ３０７により、１群レンズ３０１を前後に移動し、自動的にピント調節を行う。３０９は絞りモータ駆動回路であり、絞りモータ３１０をステップ駆動し、撮影レンズの絞りを所定の口径に調節する。
【００１９】
ここで、レンズマウントに設けられた複数の電気接点３０５について説明する。接点Ｌ０は、レンズ側のフォーカスモータ駆動回路３０６と絞りモータ駆動回路３０９に接続し、モータの駆動用電源を供給する。接点Ｌ１は、モータ電源用のグランドである。接点Ｌ２は、レンズマイコン３２０に接続し電源を供給する。接点Ｌ３、Ｌ４、Ｌ５は、公知のシリアル通信をレンズとカメラ間で行うものである。通信の同期信号をカメラからレンズへ送るクロック接点Ｌ３、カメラからレンズへ各種指令を送信する接点Ｌ４、レンズからカメラへ各種レンズ情報を送信する接点Ｌ５がある。接点Ｌ６は、レンズマイコン３２０の電源用のグランドである。
【００２０】
レンズマイコン３２０は、複数の電気接点３０５を介してカメラマイコン２４０と接続され、カメラからの自動焦点調節動作指令を受けると、フォーカスモータ駆動回路３０６に制御信号を出力し、フォーカス駆動モータ３０７を作動させ、１群レンズ３０１を前後に移動して自動的にピント調節を行う。この際、１群レンズ３０１の移動量は、フォトインターラプタ３０８により、パルス信号としてレンズマイコン３２０に送られモニターされる。レンズマイコン３２０は、カメラの指令位置に到達したところでフォーカス駆動モータ３０７を停止させるよう制御する。一方、カメラからの絞り込み指令を受けると、絞りモータ駆動回路３０９に制御信号を出力し、絞りモータ３１０をステップ駆動させ、撮影レンズの絞りを所定の口径に調節する。
【００２１】
また、レンズマイコン３２０には、変倍操作による２群レンズ３０２の移動に連動した４ビットのエンコーダＺＥＮＣが接続され、ワイドからテレまでの焦点距離を１６分割したズーム位置情報が入力される。なお、レンズマイコン３２０に内蔵するＲＯＭには、１６分割したズーム位置に対応して、各種のレンズ固有情報、例えば開放絞り値、実焦点距離、繰り出し量変換係数等を記憶する、レンズ固有情報記憶部３１８がある。さらに同ＲＯＭには、交換レンズ３００の全機能を正常に動作させることを保証するチェツク電圧値ＶＬを記憶するチェック電圧ＶＬ記憶回路３１７がある。レンズマイコン３２０は、カメラマイコン２４０からレンズの各種固有情報の送信要求指令を受けた際、現在のズーム位置に対応した固有情報をカメラに送信する。また、チェック電圧に関する値の送信要求指令を受け、対応する情報をカメラに送信する。このチェック電圧ＶＬ記憶回路３１７に記憶させる値の設定方法については、後述する。
【００２２】
カメラ本体２００には、ファインダ観察状態と撮影状態とに応じて光路内に斜め設定または退去するように、メインミラー２０１がある。このメインミラーは半透明であり、ファインダ観察状態の時には、被写体からの光束の、ほぼ半分の光量をピント板２０３に導き、ペンタプリズム２０４と接眼レンズ２０５により撮影画面を観察できる。ここで残り半分の光量は、メインミラー２０１を透過し、サブミラー２０２に反射して、ミラーボックス下部に設けられた焦点検出光学系２０６に入射する。一方、撮影状態の時には、メインミラー２０１が光路外に退去し、シャッター２１０の開成時に被写体の光束は、銀塩フィルム等からなる感光部材２１２へ到達する。
【００２３】
カメラマイコン２４０には、焦点検出回路２０７、メインミラー駆動回路２０９、シャッター駆動回路２１１、フィルム駆動回路２１４、フィルム走行検知回路２１５、測光回路２１７、スイッチセンス回路２１９、ＬＣＤ表示回路２２０が接続されている。また、カメラマイコン２４０は、複数の電気接点３０５を介してレンズマイコン３２０と接続され、各種情報の通信及びカメラからレンズに動作指令を行う。
【００２４】
焦点検出回路２０７は、カメラマイコン２４０からの信号に従い、焦点検出光学系２０６内のＣＣＤラインセンサーの蓄積時間制御と読み出し制御を行い、画素情報をカメラマイコン２４０に出力する。カメラマイコン２４０は、画素情報をＡ／Ｄ変換し、公知の位相差検出法によりピントのズレ量を検出し、レンズマイコン３２０に自動焦点調節動作指令を送信してピント調節を行う。
【００２５】
メインミラー駆動回路２０９は、カメラマイコン２４０からの信号に従い、メインミラー駆動モータ２０８を制御し、メインミラー２０１を光路内に斜め設定または退去位置に移動する。また、メインミラー駆動モータ２０８は、シャッター２１０の作動用スプリングのメカチャージも併せて行う。
【００２６】
シャッター駆動回路２１１は、カメラマイコン２４０からの信号に従い、シャッター２１０を構成する先幕マグネットと後幕のマグネットの通電時間の制御を行い、感光部材２１２の露光時間の調節を行う。
【００２７】
フィルム駆動回路２１４は、カメラマイコン２４０からの信号に従い、フィルム駆動モータ２１３を制御し、銀塩フィルム等からなる感光部材２１２の巻き上げを行う。また、フィルム駆動モータ２１３を逆回転し、不図示の巻き戻し機構により、フィルムの巻き戻しを行う。
【００２８】
フィルム走行検知回路２１５は、フィルムの移動量をパルス信号としてカメラマイコン２４０に出力する。カメラマイコン２４０は、フィルム１駒分の位置に到達したところでフィルム駆動モータ２１３を停止させる。また、フィルム巻き戻し動作の場合は、パルス信号の送出停止を検知したところでフィルム駆動モータ２１３を停止させる。
【００２９】
測光回路２１７は、カメラマイコン２４０からの信号に従い、測光センサー２１６を制御し、測光情報をカメラマイコン２４０に出力する。カメラマイコン２４０は、測光情報をＡ／Ｄ変換し、露光制御のためのシャッタースピードと絞り値の演算を行う。
【００３０】
スイッチセンス回路２１９は、不図示のレリーズボタンの第１ストロークでＯＮするスイッチＳＷ１と、第２ストロークでＯＮするスイッチＳＷ２、及び不図示の設定ボタンスイッチとタイミングスイッチを検出し、カメラマイコン２４０に出力する。カメラマイコン２４０は、スイッチＳＷ１のＯＮで測光とＡＦ動作を開始させ、スイッチＳＷ２のＯＮで露光動作を開始させる。また、その他の設定ボタンスイッチのＯＮでボタンに応じたカメラ機能の設定を行う。なおタイミングスイッチは、カメラ動作上のシーケンス制御でタイミング調整に利用される。
【００３１】
ＬＣＤ表示回路２２０は、カメラマイコン２４０の信号に従い、ファインダー内ＬＣＤ２２１と外部ＬＣＤ２２２にカメラの状態を表示する。
【００３２】
カメラ本体２００に備えられた電池２２３は、メインミラー駆動回路２０９、シャッター駆動回路２１１とフィルム駆動回路２１４に接続され、フィルム駆動モータ２１３とシャッター駆動マグネット２１１ａの駆動電源となる。また、カメラマイコン２４０の制御信号に応じて、レンズモータ電源スイッチ回路２１８から電気接点３０５の端子Ｌ０を介し、フォーカスモータ駆動回路３０６、絞りモータ駆動回路３０９へ電源供給を行う。ＤＣ／ＤＣコンバータ２２４は、カメラマイコン２４０と電気接点３０５の端子Ｌ２を介し、レンズマイコン３２０へ安定化電源の供給を行う。なお、電池２２３はカメラマイコン２４０のアナログ入力端子にも接続されており、Ａ／Ｄ変換することで電圧値の検出ができる。
【００３３】
カメラマイコン２４０に内蔵するＲＯＭには、カメラ動作を制御するプログラム及びカメラ固有情報を記憶している。さらに同ＲＯＭには、カメラ本体２００の全機能を正常に動作させることを保証するチェツク電圧値ＶＢを記憶するチェック電圧ＶＢ記憶回路２２５がある。カメラマイコン２４０のチェック電圧ＶＢ記憶回路２２５と、レンズマイコン３２０のチェック電圧ＶＬ記憶回路３１７に各記憶されたチェック電圧値は、カメラのバッテリーチェックで利用される。
【００３４】
ここで、本実施例で採用したバッテリーチェック動作について説明する。カメラマイコン２４０は、電池２２３のアナログ入力をＡ／Ｄ変換し、電圧値を検出する。なお、Ａ／Ｄ変換に先だって電池に適当な負荷を与える必要がある。そこで、メインミラー２０１の位置に影響を及ぼさない範囲で、ミラー駆動モータ２０８に逆回転を行う等、公知の負荷動作を行う。そして、チェック電圧ＶＢ記憶回路２２５に記憶するチェック電圧値ＶＢと検出した検出電圧値とを比較する。この際、チェック電圧値ＶＢより検出電圧値が低いと判別された場合は、カメラの操作者に警告が行われる。
【００３５】
次に、カメラマイコン２４０は、電気接点３０５の端子Ｌ３、Ｌ４を介し、レンズマイコン３２０へチェック電圧に関する値の送信要求指令を送信する。そして、レンズマイコン３２０は、電気接点３０５の端子Ｌ５を介し、チェック電圧ＶＬ記憶回路３１７のチェック電圧値ＶＬをカメラに送信する。カメラマイコン２４０は、レンズより受信したチェック電圧値ＶＬと先に検出した検出電圧値とを比較する。この際、チェック電圧値ＶＬより検出電圧値が低いと判別された場合は、カメラの操作者に警告が行われる。
【００３６】
このバッテリーチェックを構成する、カメラマイコン２４０のチェック電圧ＶＢ記憶回路２２５に記憶させるチェック電圧値ＶＢの設定方法について説明する。カメラ本体２００に備えられた電動駆動機構は、メインミラー駆動モータ２０８、シャッター駆動マグネット２１１ａ、フィルム駆動モータ２１３の３つである。それぞれの駆動機構を動作させた場合にカメラが正常に動作可能な電源電圧値を実験または測定で求める。例えば、メインミラー駆動モータ２０８は４．２Ｖが下限であり、シャッター駆動マグネット２１１ａは３．８Ｖが下限であり、フィルム駆動モータ２１３は４．０Ｖが下限であり、これ以下の電圧値にあっては誤動作が発生する恐れがあった。この場合、電圧値が最大を示したメインミラー駆動モータ２０８の４．２Ｖをバッテリーチェック電圧値として採用すれば、カメラ本体２００の全機能を正常に動作させることが保証できる。しかるにカメラマイコン２４０のチェック電圧ＶＢ記憶回路２２５には、４．２Ｖに相当する値を記憶する。また、メインミラー駆動モータ２０８とフィルム駆動モータ２１３を同時並行駆動するカメラ仕様であれば、同時並行駆動時においても正常に動作可能な電源電圧値を求め、この値を含め、電圧値が最大を示す値をチェック電圧ＶＢ記憶回路２２５に記憶させればよい。
【００３７】
次に、レンズマイコン３２０のチェック電圧ＶＬ記憶回路３１７に記憶させるチェック電圧値ＶＬの設定方法について説明する。交換レンズ３００に備えられた電動駆動機構は、フォーカス駆動モータ３０７、絞りモータ３１０の２つである。それぞれの駆動機構を動作させた場合に交換レンズ３００が正常に動作可能な電源電圧値を実験または測定で求める。例えば、フォーカス駆動モータ３０７は４．１Ｖが下限であり、絞りモータ３１０は３．８Ｖが下限であり、これ以下の電圧値にあっては誤動作が発生する恐れがあった。この場合、電圧値が最大を示したフォーカス駆動モータ３０７の４．１Ｖをバッテリーチェック電圧値として採用すれば、交換レンズ３００の全機能を正常に動作させることが保証できる。しかるにレンズマイコン３２０のチェック電圧ＶＬ記憶回路３１７には、４．１Ｖに相当する値を記憶する。また、フォーカス駆動モータ３０７と絞りモータ３１０を同時並行駆動するレンズ仕様であれば、同時並行駆動時においても正常に動作可能な電源電圧値を求め、この値を含め、電圧値が最大を示す値をチェック電圧ＶＬ記憶回路３１７に記憶させればよい。
【００３８】
図３は、図１に示した一眼レフレックスカメラのカメラ本体２００に交換可能に装着されるレンズ鏡筒である。この交換レンズ３５０は、図１の交換レンズ３００に電動ズーム機構が追加されたものであり、構成が同一である部分については同符号で示し説明は省略する。ここで、追加部分のみ説明する。３１１はズームモータ駆動回路であり、ズームモータ３１２により、不図示の機械式カム筒を回転させ、２群レンズ３０２及び３群レンズ３０３を前後に移動することで、撮影レンズの焦点距離を変え、撮影倍率を変倍させることができる。レンズマイコン３２０には、電動ズームの回転方向を指示するスイッチＺＷ、ＺＴが接続されている。レンズマイコン３２０は、スイッチＺＷのＯＮを検出するとズームモータ３１２をワイド方向に駆動し、スイッチＺＴのＯＮを検出するとテレ方向に駆動する。
【００３９】
次に、図３のレンズマイコン３２０のチェック電圧ＶＬ記憶回路３１７に記憶させるチェック電圧値ＶＬの設定方法について説明する。交換レンズ３５０に備えられた電動駆動機構は、フォーカス駆動モータ３０７、絞りモータ３１０、ズームモータ３１２の３つである。それぞれの駆動機構を動作させた場合に交換レンズ３５０が正常に動作可能な電源電圧値を実験または測定で求める。例えば、フォーカス駆動モータ３０７は４．１Ｖが下限であり、絞りモータ３１０は３．８Ｖが下限であり、ズームモータ３１２は４．５Ｖであり、これ以下の電圧値にあっては誤動作が発生する恐れがあった。この場合、電圧値が最大を示したズームモータ３１２の４．５Ｖをバッテリーチェック電圧値として採用すれば、交換レンズ３５０の全機能を正常に動作させることが保証できる。しかるにレンズマイコン３２０のチェック電圧ＶＬ記憶回路３１７には、４．５Ｖに相当する値を記憶する。
【００４０】
図４は、バッテリーチェックに用いるＬＣＤ表示説明図であり、図２の外部ＬＣＤ２２２に表示されるものである。図４においてａの表示は、電池の容量が十分ある状態を示している。ｂの表示は、電池の容量低下している状態を示している。一方、ｃの表示は、電池の容量が不十分であり、電池の交換時期であることを警告するものである。この警告は、上記のバッテリーチェック動作で説明したように、カメラ及び交換レンズの全機能が正常に動作することを保証するチェック電圧値より、電池の検出電圧値が低い場合を意味している。このことから、カメラマイコン２４０は、電池の交換時期の警告表示を行った場合、同時にカメラの撮影動作を禁止するよう制御することが望ましい。
【００４１】
次に、図５、図６、図７を用いてレンズ交換式カメラシステムの動作フローを説明する。図５は、レンズマイコン３２０のレンズ制御回路３１９により行われるレンズ制御のフローチャートを示している。先ず、ステップ（以下、＃と略す）５０１で、レンズマイコン３２０の内蔵ＲＡＭのクリアー及び初期データセット、各ポートの入出力設定、カメラマイコン２４０との通信モード設定等の初期設定が行われる。＃５０２で、カメラマイコン２４０から送信される各種動作指令を待つ。その後、受信完了により次へ進む。
【００４２】
＃５０３で、カメラからの動作指令がレンズの各種固有情報送信要求指令であるならば＃５０４へ進み、現在のズーム位置に対応した固有情報をレンズ固有情報記憶部３１８から読み出し、カメラマイコン２４０へ送信して＃５０２へ戻る。
【００４３】
＃５０５で、カメラからの動作指令がチェック電圧送信要求指令であるならば＃５０６へ進み、チェック電圧ＶＬ記憶回路３１７からチェック電圧値ＶＬを読み出し、カメラマイコン２４０へ送信して＃５０２へ戻る。
【００４４】
＃５０７で、カメラからの動作指令が絞り込み指令であるならば＃５０８へ進み、絞りモータ駆動回路３０９に制御信号を出力し、絞りモータ３１０をステップ駆動させ、撮影レンズの絞りを所定の口径に調節して＃５０２へ戻る。
【００４５】
＃５０９で、カメラからの動作指令が絞り開放指令であるならば＃５１０へ進み、絞りモータ駆動回路３０９に制御信号を出力し、絞りモータ３１０をステップ駆動させ、撮影レンズの絞りを開放位置にして＃５０２へ戻る。
【００４６】
＃５１１で、カメラからの動作指令がスタンバイ指令であるならば＃５１２へ進み、レンズマイコン３２０を低消費電力モードに設定し、カメラからの通信が再開されるまで待機する。その後、カメラからの動作指令の送信再開で待機状態から抜け出し、＃５０２へ戻る。
【００４７】
＃５１３で、カメラからの動作指令が自動焦点調節動作（ＡＦ動作）指令であるか否か判別する。ここで、該当しない場合は、レンズマイコン３２０が受け入れられない動作指令であり、＃５０２へ戻り再度の動作指令の受信完了を待つ。
【００４８】
一方、該当する場合は、＃５１４へ進み、フォーカスモータ駆動回路３０６に制御信号を出力し、フォーカス駆動モータ３０７を作動させ、１群レンズ３０１を前後に移動して自動的にピント調節を行う。＃５１５では、１群レンズ３０１の移動量をフォトインターラプタ３０８から出力されるパルス信号をカウントし、カメラの指令位置に到達するまで＃５１５をループする。そして、指令位置に到達したところでループから抜けだし、＃５１６で、フォーカス駆動モータ３０７を停止させるよう制御して＃５０２へ戻る。
【００４９】
図６は、カメラマイコン２４０のカメラ制御回路２３９により行われるカメラ制御のフローチャーチを示している。先ず、＃４０１で、カメラマイコン２４０の内蔵ＲＡＭのクリアー及び初期データセット、各ポートの入出力設定、レンズマイコン３２０との通信モード設定等の初期設定が行われる。＃４０２で、レンズマイコン３２０へスタンバイ指令を送信し、レンズマイコン３２０を低消費電力モードに設定する。続いて、カメラマイコン２４０を低消費電力モードに設定し、レリーズボタンが操作されるまで待機する。その後、レリーズボタンの第１ストロークによりスイッチＳＷ１のＯＮで待機状態から抜け出し、＃４０３でバッテリーチェックを行う。バッテリーチェックの詳細については後述する。
【００５０】
＃４０４では、レリーズボタンの第１ストロークでスイッチＳＷ１がＯＮされたか否かを判別し、ＯＮであれば＃４０７へ進み、ＯＦＦであれば＃４０５へ進む。＃４０７では、レンズマイコン３２０へレンズの固有情報送信要求指令を送信し、固有情報を受信する。
【００５１】
次に、測光回路２１７から出力された測光情報をＡ／Ｄ変換し、被写体輝度値ＢＶを求める。そして、フィルム感度ＳＶと被写体輝度ＢＶから適正露光量ＥＶ＝ＳＶ＋ＢＶを演算する。続いて、適正露光量ＥＶから露出モードに従って、シャッタースピードと絞り値を決定する。
【００５２】
次に、＃４０８で、焦点検出回路２０７から出力された画素情報をＡ／Ｄ変換し、公知の位相差検出法によりピントのズレ量を検出する。＃４０９で、レンズマイコン３２０に自動焦点調節動作（ＡＦ動作）指令を送信しピント調節を行う。
【００５３】
＃４１０では、レリーズボタンの第２ストロークでスイッチＳＷ２がＯＮされたか否かを判別し、ＯＮであれば＃４１１へ進み、ＯＦＦであれば＃４０４へ戻り以降＃４０４〜＃４１０までをループする。この間に、＃４０４で、第１ストロークでスイッチＳＷ１がＯＮからＯＦＦになったことを判別すると＃４０５へ進み、６秒タイマーがＯＮであるか否かを判別する。ここで、スイッチＳＷ１がＯＮからＯＦＦになった時点から６秒以内であれば＃４０６へ進み、＃４０７と同様の測光と露出演算を行い＃４０４へ戻り以降＃４０４〜＃４０６をループする。＃４０５で、６秒経過を判別すると＃４０２へ戻りスタンバイ状態へ移行する。なお、この６秒タイマーの役割としては、レリーズボタンの第１ストロークでスイッチＳＷ１がＯＮからＯＦＦになってから６秒間経過するまで、測光と露出演算を継続動作させるためのものであり、カメラ設定操作等により、一時的にレリーズボタンから指が離れてもカメラ動作を中断させないことにある。
【００５４】
＃４１１では、シャッター２１０を構成する先幕マグネットと後幕のマグネットにシャッター駆動回路２１１から通電を行い、シャッター羽根の走行を保持しておく。
【００５５】
次に、＃４１２で、メインミラー駆動回路２０９に制御信号を出力し、ミラーアップを開始する。そして、＃４１３で、レンズマイコン３２０へ絞り込み指令を送信し、＃４０７の露出演算で決定した絞り値まで絞り込み動作を行う。＃４１４では、ミラーアップの完了信号が検出されるまで＃４１４をループして待ち、完了信号の検出で＃４１５へ進む。
【００５６】
＃４１５では、先幕マグネットの通電を遮断し先幕を走行する。そして、＃４１６で、露出タイマーがＯＮであか否かの判別を行い、＃４０７の露出演算で決定したシャッタースピードに相当する時間以内であれば＃４１６をループする。そして、露出タイマーのＯＮを待ち、＃４１７で、後幕マグネットの通電を遮断し、後幕を走行させ、露光動作を完了する。
【００５７】
露光動作の完了後、＃４１８で、レンズマイコン３２０へ絞り開放指令を送信し、絞りの開放動作を行う。続いて、＃４１９で、メインミラー駆動回路２０９に制御信号を出力し、ミラーダウンを開始する。＃４２０では、ミラーダウンの完了信号が検出されるまで＃４２０をループして待ち、完了信号の検出で＃４２１へ進む。＃４２１では、フィルム駆動回路２１４に制御信号を出力し、巻き上げを開始する。巻き上げ動作にともなって、フィルム走行検知回路２１５からパルス信号が出力される。＃４２２では、このパルス信号をカウントし、フィルムの１駒分に相当する位置でフィルム駆動モータ２１３を停止し、巻き上げの完了とする。ここまでが１駒撮影分のカメラ動作であり、以降＃４０４へ戻り次の撮影に移る。
【００５８】
図７は、図６の＃４０３のバッテリーチェック動作を示す制御フローチャーチである。先ず、＃４３０で、メインミラー駆動回路２０９に制御信号を出力し、メインミラー駆動モータ２０８を逆回転駆動して電池２２３に負荷を与える。＃４３１では、電池の電圧降下が安定する時間として１ｍｓ時間待ちする。そして、＃４３２で、電池２２３のアナログ入力をＡ／Ｄ変換し、電圧値を検出する。＃４３３でメインミラー駆動モータ２０８を停止する。なお、メインミラー駆動モータ２０８の逆回転の時間は、メインミラー２０１の位置に影響を及ぼさない範囲で時間設定する。
【００５９】
次に、＃４３４で、チェック電圧ＶＢ記憶回路２２５に記憶するチェック電圧値ＶＢと検出した検出電圧値とを比較する。この際、チェック電圧値ＶＢより検出電圧値が低いと判別された場合は、カメラの操作者に警告が行われ＃４３９へ進み、そうでない場合は次へ進む。＃４３５では、レンズマイコン３２０へチェック電圧に関する値の送信要求指令を送信する。そして、＃４３６で、レンズマイコン３２０からチェック電圧ＶＬ記憶回路３１７のチェック電圧値ＶＬを受信する。＃４３７で、レンズより受信したチェック電圧値ＶＬと先に検出した検出電圧値とを比較する。この際、チェック電圧値ＶＬより検出電圧値が低いと判別された場合は、カメラの操作者に警告が行われ＃４３９へ進み、そうでない場合は次へ進む。＃４３８では、ＬＣＤ表示回路２２０へ制御信号を出力し、外部ＬＣＤ２２２に図４ａの表示を行い、カメラ操作者に電池の容量が十分あることを知らせ、メインフローへリターンする。
【００６０】
＃４３９では、ＬＣＤ表示回路２２０へ制御信号を出力し、外部ＬＣＤ２２２に図４ｃの表示を行い、カメラ操作者に電池の容量が不十分であり、電池の交換時期であることを警告する。この警告表示を行った場合、同時にカメラの撮影動作を禁止するよう制御するため、＃４４０で、レンズマイコン３２０へスタンバイ指令を送信し、レンズマイコン３２０を低消費電力モードに設定し、続いて、カメラマイコン２４０を低消費電力モードに設定し、電池交換を待つ。
【００６１】
このように、本発明の第１実施例では、カメラ本体の全機能を正常に動作させることを保証するチェツク電圧値ＶＢと、交換レンズの全機能を正常に動作させることを保証するチェツク電圧値ＶＬと、電池の検出電圧値をそれぞれ比較し、チェック電圧値ＶＢまたはチェック電圧値ＶＬより検出電圧値が低いと判別された場合は、カメラの操作者に電池の交換時期であることを警告するように構成したので、カメラ及び交換レンズの誤動作の発生と、電池の無駄な交換を防ぐことができることを説明したが、チェック電圧値ＶＢとＶＬは各１つに限定されるものではなく、複数用意することにより、カメラの操作者に電池の容量に関する状況を適切に示すことが可能となる。
【００６２】
例えば、レンズマイコン３２０のチェック電圧ＶＬ記憶回路３１７には、上述同様に交換レンズの全機能を正常に動作させることを保証するチェツク電圧、つまり電池の交換警告を判別するチェック電圧値ＶＬ１と、さらに電池の容量低下の注意を判別するチェック電圧値ＶＬ２の２種を記憶させる。同様に、カメラマイコン２４０のチェック電圧ＶＢ記憶回路２２５にも、電池の交換警告を判別するチェック電圧値ＶＢ１と、さらに電池の容量低下の注意を判別するチェック電圧値ＶＢ２の２種を記憶させる。
【００６３】
次に、この構成のバッテリーチェック動作を示す制御フローチャーチを図８で説明する。なお、＃４３０〜＃４３３までは図７と同様なので省略する。
【００６４】
＃４５０では、レンズマイコン３２０へチェック電圧に関する値ＶＬ１とＶＬ２の送信要求指令を送信する。そして、＃４５１で、レンズマイコン３２０からチェック電圧ＶＬ記憶回路３１７のチェック電圧値ＶＬ１とＶＬ２を受信する。（この場合、レンズ制御フロー図５の＃５０６で、チェック電圧値ＶＬ１とＶＬ２を送信するよう変更が必要になる）次に、＃４５２で、チェック電圧ＶＢ記憶回路２２５に記憶するチェック電圧値ＶＢ１と検出した検出電圧値とを比較する。この際、チェック電圧値ＶＢ１より検出電圧値が低いと判別された場合は、カメラの操作者に電池の交換警告が行われ＃４５８へ進み、そうでない場合は次へ進む。＃４５３で、レンズより受信したチェック電圧値ＶＬ１と先に検出した検出電圧値とを比較する。この際、チェック電圧値ＶＬ１より検出電圧値が低いと判別された場合は、カメラの操作者に電池の交換警告が行われ＃４５８へ進み、そうでない場合は次へ進む。
【００６５】
＃４５４では、チェック電圧ＶＢ記憶回路２２５に記憶するチェック電圧値ＶＢ２と検出した検出電圧値とを比較する。この際、チェック電圧値ＶＢ２より検出電圧値が低いと判別された場合は、カメラの操作者に電池の容量低下の注意が行われ＃４５７へ進み、そうでない場合は次へ進む。＃４５５で、レンズより受信したチェック電圧値ＶＬ２と先に検出した検出電圧値とを比較する。この際、チェック電圧値ＶＬ２より検出電圧値が低いと判別された場合は、カメラの操作者に電池の容量低下の注意が行われ＃４５７へ進み、そうでない場合は次へ進む。＃４５６では、ＬＣＤ表示回路２２０へ制御信号を出力し、外部ＬＣＤ２２２に図４ａの表示を行い、カメラ操作者に電池の容量が十分あることを知らせ、メインフローへリターンする。
【００６６】
＃４５７では、ＬＣＤ表示回路２２０へ制御信号を出力し、外部ＬＣＤ２２２に図４ｂの表示を行い、カメラ操作者に電池の容量低下を知らせる。つまり、電池の交換時期が近づいているので予備電池を用意するよう知らせ、メインフローへリターンする。
【００６７】
＃４５８では、ＬＣＤ表示回路２２０へ制御信号を出力し、外部ＬＣＤ２２２に図４ｃの表示を行い、カメラ操作者に電池の容量が不十分であり、電池の交換時期であることを警告する。この警告表示を行った場合、同時にカメラの撮影動作を禁止するよう制御するため、＃４５９で、レンズマイコン３２０へスタンバイ指令を送信し、レンズマイコン３２０を低消費電力モードに設定し、続いて、カメラマイコン２４０を低消費電力モードに設定し、電池交換を待つ。
【００６８】
このように、カメラ本体にチェック電圧値ＶＢ１とＶＢ２、交換レンズにチェック電圧値ＶＬ１とＶＬ２を設け、カメラの操作者に電池の容量低下の注意と電池の交換時期であることを警告するように構成すれば、電池の容量に関する状況を適切に示すことができることを説明した。さらに、チェック電圧値を３つ４つと記憶個数を増せば、例えばバーグラフで電池の容量を表示することが可能となる。
【００６９】
次に、本発明の第２実施例について説明する。本実施のレンズ交換式カメラシステムは、上述した本発明の第１実施例と光学的構成及び回路構成が同一であり、図２が適用されるものである。したがって、光学的構成と回路構成の説明は省略する。では、上述の第１実施例と異なる点は、レンズマイコン３２０のレンズ制御回路３１９とカメラマイコン２４０のカメラ制御回路２３９である。そこで、各制御回路の動作フローを説明する。
【００７０】
図９は、レンズマイコン３２０のレンズ制御回路３１９により行われるレンズ制御のフローチャートを示している。先ず、＃５０１で、レンズマイコン３２０の内蔵ＲＡＭのクリアー及び初期データセット、各ポートの入出力設定、カメラマイコン２４０との通信モード設定等の初期設定が行われる。＃５０２で、カメラマイコン２４０から送信される各種動作指令を待つ。その後、受信完了により次へ進む。
【００７１】
＃５０３で、カメラからの動作指令がレンズの各種固有情報送信要求指令であるならば＃５０４へ進み、現在のズーム位置に対応した固有情報をレンズ固有情報記憶部３１８から読み出し、カメラマイコン２４０へ送信して＃５０２へ戻る。
【００７２】
＃５２０で、カメラからの動作指令がレンズバッテリーチェック指令であるならば＃５２１へ進み、カメラ本体から検出電圧値を受信する。そして、＃５２２で、チェック電圧ＶＬ記憶回路３１７に記憶するチェック電圧値ＶＬと、受信した検出電圧値とを比較する。ここで、チェック電圧値ＶＬより検出電圧値が低い場合は＃５２４へ進み、カメラ本体へ電池交換を警告する信号として”１”を送信して＃５０２へ戻る。一方、検出電圧が高い場合は＃５２３へ進み、カメラ本体へ電池容量が十分である信号として”０”を送信して＃５０２へ戻る。
【００７３】
以下、＃５０７〜＃５１６までのレンズ動作フローは上述の第１実施例で説明した図５と同一であり、同一符号を付けて説明は省略する。
【００７４】
次に、カメラマイコン２４０のカメラ制御回路２３９の動作フローを説明する。カメラ制御回路２３９のメインフローは、上述の第１実施例で説明した図６と同一であるので説明は省略する。ただし、＃４０３のバッテリーチェック動作のみ異なるので、図１０で説明する。
【００７５】
図１０は、図６の＃４０３のバッテリーチェック動作を示す制御フローチャーチである。先ず、＃４６０で、メインミラー駆動回路２０９に制御信号を出力し、メインミラー駆動モータ２０８を逆回転駆動して電池２２３に負荷を与える。＃４６１では、電池の電圧降下が安定する時間として１ｍｓ時間待ちする。そして、＃４６２で、電池２２３のアナログ入力をＡ／Ｄ変換し電圧値を検出する。＃４６３でメインミラー駆動モータ２０８を停止する。
【００７６】
次に、＃４６４で、レンズマイコン３２０へレンズバッテリーチェック指令を送信し、続いて、＃４６５で、＃４６２で検出した検出電圧値を送信する。そして、＃４６６で、レンズマイコン３２０から比較結果を受信する。なお、レンズから受信する比較結果は、”０”の場合は電池容量が十分であることを意味し、”１”の場合は電池交換の警告状態であることを意味している。
【００７７】
＃４６７では、レンズから受信した比較結果が”１”であるか否かを判別する。ここで、”１”であればカメラの操作者に警告が行われ＃４７０へ進み、そうでない場合は次へ進む。＃４６９で、チェック電圧ＶＢ記憶回路２２５に記憶するチェック電圧値ＶＢと検出した検出電圧値とを比較する。この際、チェック電圧値ＶＢより検出電圧値が低いと判別された場合は、カメラの操作者に警告が行われ＃４７０へ進み、そうでない場合は次へ進む。＃４６８では、ＬＣＤ表示回路２２０へ制御信号を出力し、外部ＬＣＤ２２２に図４ａの表示を行い、カメラ操作者に電池の容量が十分あることを知らせ、メインフローへリターンする。
【００７８】
＃４７０では、ＬＣＤ表示回路２２０へ制御信号を出力し、外部ＬＣＤ２２２に図４ｃの表示を行い、カメラ操作者に電池の容量が不十分であり、電池の交換時期であることを警告する。この警告表示を行った場合、同時にカメラの撮影動作を禁止するよう制御するため、＃４７１で、レンズマイコン３２０へスタンバイ指令を送信し、レンズマイコン３２０を低消費電力モードに設定し、続いて、カメラマイコン２４０を低消費電力モードに設定し、電池交換を待つ。
【００７９】
このように、本発明の第２実施例では、交換レンズ側に、交換レンズの全機能を正常に動作させることを保証するチェツク電圧値ＶＬとカメラから受信した検出電圧値とを比較するよう構成し、カメラ本体側に、カメラ本体の全機能を正常に動作させることを保証するチェック電圧値ＶＢと検出電圧値とを比較するよう構成し、チェック電圧値ＶＢまたはチェック電圧値ＶＬより検出電圧値が低いと判別された場合は、カメラの操作者に電池の交換時期であることを警告するようにしたので、カメラ及び交換レンズの誤動作の発生と、電池の無駄な交換を防ぐことができることを説明した。また、第２実施例においても、チェック電圧値ＶＢとＶＬは各１つに限定されるものではなく、複数用意することにより、カメラの操作者に電池の容量に関する状況を適切に示すことが可能となる。例えば、突然の電池交換の警告表示となる前に、事前に電池容量の低下の注意をすることも可能となる。さらに、チェック電圧の記憶個数を増せば、バーグラフで電池の容量を表示することも可能となる。
【００８０】
【発明の効果】
以上説明したように、本願第１発明と第３発明のレンズ交換式カメラシステムによれば、カメラ本体の全機能を正常に動作させることを保証するチェツク電圧値ＶＢと、交換レンズの全機能を正常に動作させることを保証するチェツク電圧値ＶＬと、電池の検出電圧値をそれぞれ比較するようにしたので、カメラの操作者に電池の容量に関する状況を適切に示すことが可能となり、カメラ及び交換レンズの誤動作の発生を防ぎ、また、電池の無駄を無くして、有効に利用できるという効果がある。
【００８１】
また、本願第２発明の交換レンズによれば、交換レンズの全機能を正常に動作させることを保証するチェック電圧値ＶＬをカメラ本体へ通信するようにしたので、カメラ本体はカメラ本体の全機能を正常に動作させることを保証するチェツク電圧値ＶＢと、交換レンズから取得したチェツク電圧値ＶＬと、電池の検出電圧値をそれぞれ比較できるので、カメラの操作者に電池の容量に関する状況を適切に示すことが可能となり、カメラ及び交換レンズの誤動作の発生を防ぎ、また、電池の無駄を無くして、有効に利用できるという効果がある。
【００８２】
また、本願第４発明の交換レンズによれば、交換レンズの全機能を正常に動作させることを保証するチェック電圧値ＶＬと、カメラ本体から受信した電池の検出電圧値とを比較し、比較結果をカメラ本体へ送信するようにしたので、カメラ本体はチェック電圧値ＶＢと電圧検出手段の検出電圧値とを比較し、この比較結果と交換レンズから受信した比較結果に基づいてカメラの操作者に電池の容量に関する状況を適切に示すことが可能となり、カメラ及び交換レンズの誤動作の発生を防ぎ、また、電池の無駄を無くして、有効に利用できるという効果がある。
【図面の簡単な説明】
【図１】本発明の基本構成を示すブロック図である。
【図２】本発明を１眼レフレックスカメラシステムに適用したブロック図である。
【図３】本発明を適用した交換レンズのブロック図である。
【図４】本発明のバッテリーチェックに用いるＬＣＤ表示説明図である。
【図５】本発明の第１実施例の交換レンズのレンズ制御を説明するフローチャート図である。
【図６】本発明の第１第２実施の例カメラ本体のカメラ制御を説明するフローチャート図である。
【図７】本発明の第１実施例のバッテリーチェック動作を説明するフローチャート図である。
【図８】本発明の第１実施例の変形バッテリーチェック動作を説明するフローチャート図である。
【図９】本発明の第２実施例の交換レンズのレンズ制御を説明するフローチャート図である。
【図１０】本発明の第２実施例のバッテリーチェック動作を説明するフローチャート図である。
【符号の説明】
２００  カメラ本体
２２０  ＬＣＤ表示回路
２２３  電池
２２５  チェック電圧ＶＢ記憶回路（第２記憶手段）
２２６  電圧検出回路（電圧検出手段）
２３９  カメラ制御回路（カメラ制御手段）
２４０  カメラマイコン
３００  交換レンズ
３０５  電気接点
３１７  チェック電圧ＶＬ記憶回路（第１記憶手段）
３１９  レンズ制御回路（レンズ制御手段）
３２０  レンズマイコン
【図１】
0004205217.tif 000002
【図２】
0004205217.tif 000003
【図３】
0004205217.tif 000004
【図４】
0004205217.tif 000005
【図５】
0004205217.tif 000006
【図６】
0004205217.tif 000007
【図７】
0004205217.tif 000008
【図８】
0004205217.tif 000009
【図９】
0004205217.tif 000010
【図１０】
0004205217.tif 000011